(57)【要約】      （修正有）【課題】周囲環境の変化によるデバイス間の接続劣化を防止する。【解決手段】電気エネルギー貯蔵デバイス１であって、少なくとも１つの電気コンポーネント２、及び、電力分配のためのバスバー、特に積層式のバスバー５を備える。電気コンポーネント２は、バスバー５上に配置され、電気コンポーネント２の少なくとも第１の接触側面１１及び／または第２の接触側面は、接触要素、特に平坦な接触要素８によってバスバー５に接続される。接触要素８は、メッシュとして少なくとも部分的に形成される。電気コンポーネント２は、好ましくはコンデンサである。【選択図】図１a
2020096163.tif 000002
【特許請求の範囲】
【請求項１】
電気エネルギー貯蔵デバイス（１）であって、
少なくとも１つの電気コンポーネント（２）、及び、
電力分配のためのバスバー（５）を備え、
少なくとも電気コンポーネント（２）の第１の接触側面（１１）及び／または第２の接触側面（１２）は、接触要素（８）、特に平坦接触要素（８）によって前記バスバー（５）に接続され、
前記接触要素（８）はメッシュ（７）として少なくとも部分的に形成される、電気エネルギー貯蔵デバイス（１）。
【請求項２】
前記接触要素（８）は、前記電気コンポーネント（２）を少なくとも部分的に囲む、及び／または、屈曲される、請求項１に記載の電気エネルギー貯蔵デバイス（１）。
【請求項３】
前記メッシュ（７）は、平織様構造として構成される、請求項１または２に記載の電気エネルギー貯蔵デバイス（１）。
【請求項４】
前記メッシュ（７）は、第１のワイヤ（５１）及び／または第２のワイヤ（５２）から作られ、前記第１のワイヤ（５１）は互いに平行に延在し、前記第２のワイヤ（５２）は互いに平行に延在し、前記第１のワイヤ（５１）及び前記第２のワイヤ（５２）は交差ポイント（５５）で互いに交差し、前記交差ポイント（５５）における前記第１のワイヤ（５１）と前記第２のワイヤ（５２）との間の角度は、４０°から１２０°の間の値、好ましくは７５°から１１０°の間の値、またはより好ましくは主に９０°を有する、請求項１から３のいずれか１項に記載の電気エネルギー貯蔵デバイス（１）。
【請求項５】
前記接触要素（８）は、例えば、はんだ付け及び／または溶接によって、前記第１の接触側面（１１）、前記第２の接触側面（１２）、及び／または前記バスバー（５）に接着接続される、請求項１から４のいずれか１項に記載の電気エネルギー貯蔵デバイス（１）。
【請求項６】
前記メッシュ（７）は、０．１から１ｍｍの間、好ましくは０．２から０．８ｍｍの間、より好ましくは０．２５から０．６５ｍｍの間の厚さを有する第１のワイヤ（５１）及び／または第２のワイヤ（５２）から作られる、請求項１から５のいずれか１項に記載の電気エネルギー貯蔵デバイス（１）。
【請求項７】
前記メッシュ（７）の開放エリア（５４）に割当てられる幅（Ｗ）は、０．５から２．０ｍｍの間、好ましくは０．６５から１．５ｍｍの間、より好ましくは０．８から１．３５ｍｍの間の値を有する、請求項１から６のいずれか１項に記載の電気エネルギー貯蔵デバイス（１）。
【請求項８】
前記接触要素（８）は、異なる電気コンポーネント（２）の幾つかの第１の接触側面（１１）及び／または幾つかの第２の接触側面（１２）を前記バスバー（５）に接続する、請求項１から７のいずれか１項に記載の電気エネルギー貯蔵デバイス（１）。
【請求項９】
全体の接触要素（８）はメッシュ（７）として形成される、または、
−  屈曲された領域はメッシュ（７）として形成される、及び／または、
−  前記第１の接触側面（１１）及び／または前記第２の接触側面（１２）に接続された前記接触要素（８）の領域はメッシュ（７）として形成される、請求項１から８のいずれか１項に記載の電気エネルギー貯蔵デバイス（１）。
【請求項１０】
前記バスバー（５）は絶縁層（２１）によって少なくとも部分的に覆われ、好ましくは、前記電気コンポーネント（２）は前記絶縁層（２１）上に直接配置される、請求項１から９のいずれか１項に記載の電気エネルギー貯蔵デバイス（１）。
【請求項１１】
前記バスバー（５）は第１の伝導性層（３１）及び第２の伝導性層（３２）を備え、さらなる絶縁層（２２）は前記第１の伝導性層（３１）と前記第２の伝導性層（３２）との間に配置される、請求項１から１０のいずれか１項に記載の電気エネルギー貯蔵デバイス（１）。
【請求項１２】
前記メッシュ（７）は、９５％より大きい値、好ましくは９９％、より好ましくは９９．５％より大きい値である純度を有する銅から作られる、請求項１から１１のいずれか１項に記載の電気エネルギー貯蔵デバイス（１）。
【請求項１３】
前記接触要素（８）、特に前記メッシュ（７）は、さらなる絶縁層で少なくとも部分的にコーティングされる、請求項１から１２のいずれか１項に記載の電気エネルギー貯蔵デバイス（１）。
【請求項１４】
電気コンポーネント（２）として幾つかのコンデンサを有する電気エネルギー貯蔵デバイス（１）であって、前記コンデンサの第１の接触側面（１１）及び／または第２の接触側面（１２）は接触要素（８）によって互いに接続され、前記接触要素（８）はメッシュ（７）として少なくとも部分的に形成される、電気エネルギー貯蔵デバイス（１）。
【請求項１５】
請求項１から１４のいずれか１項に記載の電気貯蔵デバイス（１）を生産するための方法。
【発明の詳細な説明】
【技術分野】
【０００１】
本発明は、電気エネルギー貯蔵デバイス及び電気エネルギー貯蔵デバイスを生産するための方法を述べる。
【背景技術】
【０００２】
電気エネルギー貯蔵デバイスは、従来技術においてよく知られている。通常、コンデンサなどの幾つかの電気コンポーネントは、コンデンサバーを形成するために、そのような電気エネルギー貯蔵デバイス内に含まれる。特に、これらのコンデンサは、所望の総容量の電気エネルギー貯蔵デバイスを実現するために並列に及び／または直列に接続される。普通、コンデンサの電力分配はバスバーによって扱われる。
【０００３】
これらの電気エネルギー貯蔵デバイスはかなりの温度変動にさらされる。通常、電気コンポーネントの電源を繰返しオン／オフすることは電気コンポーネントの自己加熱をもたらす。温度変動についての別の理由は、日中から夜間への温度変動などの周期的な環境変化である場合がある。これらの温度変動は、熱疲労をもたらし、多数の熱サイクル後の潜在的故障につながる。特に、バスバーと電気コンポーネントとの間の接続が弱化し、開回路をもたらす場合さえあるというリスクが存在する。
【発明の概要】
【発明が解決しようとする課題】
【０００４】
したがって、特にその寿命及び特にコンデンサを保持することに関して、現状の技術水準において知られているデバイスと比較して改善された電気エネルギー貯蔵デバイスを提供することが本発明の目的である。
【課題を解決するための手段】
【０００５】
この目的は、請求項１による電気エネルギー貯蔵デバイスによって、請求項１４による電気エネルギー貯蔵デバイスによって、請求項１５による電気エネルギー貯蔵デバイスを生産するための方法によって達成される。
【０００６】
本発明の第１の態様によれば、電気エネルギー貯蔵デバイスが提供され、電気エネルギー貯蔵デバイスは、
−  少なくとも１つの電気コンポーネント、特に電気エネルギー貯蔵コンデンサ、及び、
−  電力分配のためのバスバー、特に積層式及び／または平坦バスバーを備え、
電気コンポーネントの少なくとも１つの第１の接触側面及び／または少なくとも１つの第２の接触側面は、接触要素、特に平坦接触要素によってバスバーに接続され、
接触要素はメッシュとして少なくとも部分的に形成される。
【０００７】
現状の技術水準と対照的に、メッシュとして少なくとも部分的に形成される接触要素を使用することが、本発明によって提供される。有利な方法で、メッシュは、温度変動の結果として電気コンポーネント及び／またはバスバーの小さな相対的再配置によって引き起こされる機械的応力を吸収する。そのため、バスバーと電気コンポーネントとの間の接続は、温度変動、特にエネルギー貯蔵デバイスの用途において予想される温度変動によって引き起こされる応力に対してより耐性がある。好ましくは、接触要素は、接触要素がバスバー及び／または電気コンポーネントの第１の接触側面または第２の接触側面に固定される接続領域においてメッシュとして形成される。電気コンポーネントがバスバー上にまたはバスバーの隣に配置されることが考えられる。例えば、バスバーは、第１の接触側面及び／または第２の接触側面を備える平面に平行に、傾斜して、及び／または垂直に延在する。さらに、接触要素が複数の電気コンポーネントを互いにまたバスバーに接続することが規定される。メッシュを使用することによって、例えば、電気コンポーネントの配置に小さい非許容部が存在するとき、電気コンポーネントが異なるサイズまたは寸法を有するとき、及び／または接触要素が電気コンポーネントを囲むとき、メッシュを対応して変形または屈曲することによって接触要素のアライメントを適応させることが容易に可能である。好ましい実施形態によれば、電気コンポーネントは、コンデンサ、電池セル、または半導体である。以降で、コンデンサは、好ましい電気コンポーネントとして使用されるが、任意の他の電気貯蔵要素を、以下で本明細書において述べる実施形態のために同様に使用することができる。
【０００８】
例えば、第１の接触側面は電気コンポーネントの正極によって表され、第２の接触側面は電気コンポーネントの負極によって表される、または、その逆も同様である。好ましくは、第１の接触側面及び／または第２の接触側面は、電気コンポーネントの前端に、特に電気コンポーネントの対向する前端に配置される。電気コンポーネントは、円筒形状を有する場合があり、断面は、円形、長方形、及び／または楕円形である場合がある。好ましくは、バスバーは、金属から作られた少なくとも１つの平坦伝導性層を備える。そのため、バスバーは、容易に変形され、エネルギー貯蔵デバイスのために設けられた空間の要件に適応されることができる。結果として、そのようなバスバーを有するエネルギー貯蔵デバイスを柔軟な方法で異なる形成空間に挿入することが可能である。特に、平坦という用語は、バスバーの文脈でならびに接触要素の文脈で、対応するベース本体が、厚さを測定するための方向に垂直な平面内のベース本体の伸張部に比べて、１０倍小さい、好ましくは１５倍小さい、より好ましくは２０倍小さい厚さを有することを意味する。さらに、用語「平坦な（ｆｌａｔ）」は、屈曲または変形されるが、全体的に平坦であるそのようなベース本体を含む。さらに、第１の接触側面及び／または第２の接触側面が、潜在的に大きな接触領域を提供するために平坦に構成されることが規定される。
【０００９】
好ましくは、接触要素は、電気コンポーネントを少なくとも部分的に囲む、及び／または、屈曲される。接触要素を屈曲することによって、バスバーおよび第１の接触側面／第２の接触側面の相対的配向に独立に、バスバーに対する電気接続を実現することが有利に可能である。実際には、電気コンポーネントにおいて互いに対向して配置される第１の接触側面及び第２の接触側面を、第１の接触側面及び／または第２の接触側面に隣接して位置する同じバスバーに接続することがさらに可能である。
【００１０】
別の好ましい実施形態において、メッシュが平織様構造として構成されることが規定される。平織構造を形成することは、機械的応力を吸収する能力の改善をもたらす。さらに、メッシュを形成する部分と接触要素全体との比が０．２から０．８の間、好ましくは０．３から０．８の間、より好ましくは０．４から０．７５の間の値を有することが規定される。
【００１１】
本発明の別の実施形態によれば、メッシュが第１のワイヤ及び／または第２のワイヤから作られ、第１のワイヤは互いに平行に延在し、第２のワイヤは互いに平行に延在し、第１のワイヤ及び第２のワイヤは交差ポイントで互いに交差し、交差ポイントにおける第１のワイヤと第２のワイヤとの間の角度は、４０°から１２０°の間の値、好ましくは７５°から１１０°の間の値、またはより好ましくは主に９０°を有することが規定される。
【００１２】
第１のワイヤと第２のワイヤとの間の相対的配向に応じて、機械的応力を吸収するための好ましい方向を実現することが可能である。結果として、例えば、第１の接触側面及び第２の接触側面が非円形断面を有するとき、第１の接触側面、第２の接触側面、及び／またはバスバーの予想される伸長部に応じて第１のワイヤ及び第２のワイヤから形成されるメッシュの配向を適合させることが有利に可能である。第１のワイヤ及び第２のワイヤによって形成されるメッシュの配向が、接触要素が接続するために第１の接触側面及び／または第２の接触側面までそこから延在する方向に応じて調整されることが同様に考えられる。好ましくは、交差ポイントにおける第１のワイヤと第２のワイヤとの間の角度が、２５°から７０°の間の値、好ましくは３５°から５５°の間の値、またはより好ましくは主に４５°を有する。
【００１３】
さらに、接触要素が、例えば、はんだ付け及び／または溶接によって、第１の接触側面、第２の接触側面、及び／またはバスバーに接着接続されることが規定される。例えば、接触要素は、第１の接触側面、バスバー、及び／または第２の接触側面に沿って分配される幾つかの接続領域を介して第１の接触側面、第２の接触側面、及び／またはバスバーに接続される。特に、接続領域または幾つかの接続領域の合計は、第１の接触側面及び／または第２の接触側面の伸長部より、小さい、好ましくは４倍小さい、より好ましくは１０倍小さい。好ましくは、幾つかの接続領域は、第１の前側面に沿って統計的に分配される、または、予め規定されたパターン、特に、機械的応力の最適化された吸収のためのパターンに従って分配される。
【００１４】
本発明の別の好ましい実施形態によれば、メッシュが、０．１から１ｍｍの間、好ましくは０．２から０．８ｍｍの間、より好ましくは０．２５から０．６５ｍｍの間の厚さを有する第１のワイヤ及び／または第２のワイヤから作られることが規定される。そのため、匹敵する薄い第１のワイヤ及び／または第２のワイヤが使用され、したがって、メッシュは、例えば屈曲によって、所望の形態に容易に適応されることができる。好ましくは、接続領域は、幾つかの第１及び／または第２のワイヤにわたって延在する。
【００１５】
好ましくは、メッシュの開放エリアに割当てられる幅は、０．５から２．０ｍｍの間、好ましくは０．６５から１．５ｍｍの間、より好ましくは０．８から１．３５ｍｍの間の値を有することが規定される。そのため、第１及び／または第２のワイヤの厚さより好ましくは大きい匹敵する大きな開放エリアを実現することが可能である。そのようなメッシュが、第１の接触側面、第２の接触側面、及び／またはバスバーに対する十分な電気接続ならびに普通の温度変動によって引き起こされる機械的応力を吸収する所望の能力を実現できることが意外にも示された。好ましくは、開放エリアは第１のワイヤ及び第２のワイヤによって囲まれ、幅は、２つの隣接する第１のワイヤの間でまたは２つの隣接する第２のワイヤの間で測定される。
【００１６】
別の実施形態において、接触要素が、異なる電気コンポーネントの幾つかの第１の接触側面及び／または幾つかの第２の接触側面をバスバーに接続する、すなわち、接触要素が、異なる電気コンポーネントの幾つかの第１の接触側面及び／または幾つかの第２の接触側面と互いの間のならびにバスバーとの間の接続を確立することが規定される。好ましくは、第１の接触側面及び／または第２の接触側面は、互いに平行に配置される、または、共通平面を共有する。代替的に、第１の接触側面及び／または第２の接触側面が、異なる平面内に、例えば異なる高さで配置されることが考えられる。そのため、例えば電気コンポーネント間の領域において接触要素を屈曲させることによって、異なる高さ（すなわち、電気コンポーネントの長手方向に測定される、異なる長さ）を有する幾つかの電気コンポーネントを接続することが可能である場合がある。好ましくは、メッシュが、接触要素を第１の接触側面及び／または第２の接触側面に接続する領域及び第１の接触側面及び／または第２の接触側面の間の領域において少なくとも実現されることが規定される。好ましくは、電気コンポーネントの第１の接触側面及び／または第２の接触側面は、各電気コンポーネントの前端に位置し、第１の接触側面及び／または第２の接触側面は、平坦接触要素によって互いに接続される平面を形成する。
【００１７】
好ましくは、全体の接触要素はメッシュとして形成される、または、
−  屈曲された領域はメッシュとして形成される、及び／または、
−  第１の接触側面及び／または第２の接触側面に接続された接触要素の領域はメッシュとして形成される。接触要素をメッシュとして完全に実現することは、匹敵する低重量を有するエネルギー貯蔵デバイスを容易に生産することを可能にする。メッシュの部分を完全に閉鎖されたエリアとして形成することによって、接触要素の選択されたエリアを局所的に強化または補強することが可能である。
【００１８】
本発明の別の実施形態によれば、バスバーは絶縁層によって少なくとも部分的に覆われ、好ましくは、電気コンポーネントが絶縁層上に直接配置されることが規定される。絶縁層によって、電気コンポーネントを平坦または積層式バスバー上に直接配置することが有利に可能である。そのため、バスバーは、電力を分配することを担当するだけでなく、バスバーは、キャリア上に電気コンポーネントの組立体を配置するための、キャリアも表す。例えば、電気コンポーネントの第１の接触側面は絶縁層上に配置され、絶縁層を貫通するビアは、伝導性層、特に第２の伝導性層に対する接続を実現し、電気コンポーネントの第２の接触側面は、長手方向に沿って測定される電気コンポーネントの少なくとも長さに沿って延在する接触要素を介して第１の伝導性層に接続される。
【００１９】
特に、バスバーが第１の伝導性層及び第２の伝導性層を備え、さらなる絶縁層が第１の伝導性層と第２の伝導性層との間に配置されることが規定される。そのため、コンパクトなバスバーが実現されることができる。
【００２０】
本発明の別の実施形態によれば、メッシュが、９５％より大きい値、好ましくは９９％、より好ましくは９９．５％より大きい値である純度を有する銅から作られることが規定される。そのため、接触要素と、第１の接触側面、第２の接触側面、及び／またはバスバーとの間の効率的な電気接触を実現することが有利に可能である。
【００２１】
別の好ましい実施形態によれば、接触要素、特にメッシュは、さらなる絶縁層で少なくとも部分的にコーティングされることが規定される。例えば、第１の接触側面、第２の接触側面、及び／またはバスバーから外方を向くメッシュの側面は、さらなる絶縁層によって少なくとも部分的に覆われる。特に、接続領域の部分でない接触要素の部分はさらなる絶縁層を有する。そのため、ハウジングのような、エネルギー貯蔵デバイスの隣の要素に対する望ましくない電気接触が回避されることができる。
【００２２】
本発明の別の態様は、幾つかの電気コンポーネントを有する電気エネルギー貯蔵デバイスであり、電気コンポーネントの第１の接触側面及び／または第２の接触側面は接触要素によって互いに接続され、接触要素はメッシュとして少なくとも部分的に形成される。バスバーを有する電気貯蔵デバイスの文脈で開示される全ての特徴及び利点は、幾つかの電気コンポーネントを接続する電気貯蔵デバイスに移行されることができる、また、その逆も可能である。
【００２３】
本発明のさらなる態様は、本発明による電気貯蔵デバイスを実現するための方法である。電気貯蔵デバイスの文脈で開示される全ての特徴及び利点は、幾つかの電気コンポーネントを接続する電気貯蔵デバイスに移行されることができる、また、その逆も可能である。
【００２４】
明示的にまだ述べられていない場合はいつでも、個々の実施形態ならびに個々の実施形態の個々の態様及び特徴は、そのような組み合わせまたは交換が、意味がありかつ本発明の範囲内にあるときはいつでも、述べる発明の範囲を制限または拡大化することなく互いに組み合わされるまたは交換されることができる。本発明の一実施形態に関して述べられる利点は、該当する場合はいつでも、同様に本発明の他の実施形態の利点である。
【図面の簡単な説明】
【００２５】
【図１ａ】本発明の第１の実施形態による電気エネルギー貯蔵デバイスを概略的に示す図である。
【図１ｂ】本発明の第１の実施形態による電気エネルギー貯蔵デバイスを概略的に示す図である。
【図２】本発明による電気貯蔵デバイスのための接触要素の少なくとも一部分として使用されるメッシュを概略的に示す図である。
【図３ａ】本発明の第２の好ましい実施形態によるエネルギー貯蔵デバイスを概略的に示す図である。
【図３ｂ】本発明の第２の好ましい実施形態によるエネルギー貯蔵デバイスを概略的に示す図である。
【図４】本発明の第３の好ましい実施形態によるエネルギー貯蔵デバイスを概略的に示す図である。
【図５】本発明の第４の好ましい実施形態によるエネルギー貯蔵デバイスを概略的に示す図である。
【発明を実施するための形態】
【００２６】
図１ａ及び図１ｂにおいて、本発明の第１の実施形態による電気エネルギー貯蔵デバイス１は、斜視図（図１ａ）で、また、図１ａに組込まれたＡ−ＡラインＡに沿う断面図（図１ｂ）で概略的に提示される。概して、エネルギー貯蔵デバイス１は、コンデンサバンクを実現するために互いに接続される幾つかのコンデンサ２を備える。例えば、図１に示すコンデンサバンクは、１５０μＦ／９００Ｖｄｃの容量を有する６つのコンデンサ２によって構築される。結果として、コンデンサバンクは、９００μＦ／９００Ｖｄｃの総容量を有する。
【００２７】
好ましくは、少なくとも１つまたは幾つかのコンデンサ２、特に全てのコンデンサ２は、巻き付けられた金属化フィルムを備える、すなわち、そのようなコンデンサ２は金属化フィルムを巻き付けることによって実現される。それにより、フィルムは、両側面で金属化される。券回の数を調整することによって、対応するコンデンサ２の所望の容量を決定することが有利に可能である。金属化フィルムを巻き付ける結果として、コンデンサ２は円柱形状を有する。さらに、コンデンサ２が、ポリエチレンテレフタレート（ＰＥＴＰ）、ポリエチレンナフタレート（ＰＥＮ）、ポリフェニレンスルフィド（ＰＰＳ）、ポリプロピレン（ＰＰ）、ポリカーボネート（ＰＣ）、及び／または同様なものを有する誘電体を含むことが規定される。
【００２８】
さらに、コンデンサ２は、第１の接触側面１１、例えば正接点または極、及び、第２の接触側面１２、例えば負接点または極を有し、第１の接触側面１１及び第２の接触側面１２は、通常、コンデンサ２の対向端にある。例えば、第１の接触側面１１及び第２の接触側面１２は、スズ（Ｚｎ）を噴霧した金属または他の金属によって形成される。図１ａ及び図１ｂに示すコンデンサ２は、各コンデンサ２の円柱状本体の端面に配置される第１の接触側面１１及び第２の接触側面１２を有する。
【００２９】
特に、コンデンサ２が、絶縁がない、すなわち、コンデンサ２がいわゆる「未処理（ｎａｋｅｄ）」コンデンサ２であることが規定される。さらに、エネルギー貯蔵デバイス１がバスバー５を備えることが規定される。バスバー５は、好ましくは、第１の伝導性層３１及び第２の伝導性層３２を有し、第１の伝導性層３１及び第２の伝導性層３２は、積層方向Ｓに沿って互いに積層される。第２の伝導性層３２の上部に、絶縁層２１が配置され、好ましくは、第１の伝導性層３１と第２の伝導性層３２との間に、さらなる絶縁層２２が配置される。特に、バスバー５が積層されて、絶縁層２１を形成する。より低いインダクタンス、より高い信頼性、及び改善された冷却挙動のために、コンデンサ２がバスバー５に電気接続され、バスバー５上に直接配置され、バスバー５に接続されることが規定される。
【００３０】
図１に示す実施形態において、コンデンサ２のそれぞれの第１の接触側面１１がバスバー５に対向して配置され、すなわち、バスバー５から外方に向き、コンデンサ２のそれぞれの第２の接触側面１２がバスバー５に向くように、コンデンサ２が配向されることが規定される。さらに、２つのコンデンサ２の間の距離Ｄ、特に、第１の列４１のコンデンサ２と第２の列４２のコンデンサ２との間の距離Ｄは、０．５ｍｍから５ｍｍの間、好ましくは０．８ｍｍから２．５ｍｍの間、より好ましくは１．１ｍｍから１．５ｍｍの間であることが好ましくは規定される。
【００３１】
コンデンサ２の第２の接触側面１２を第２の伝導性層３２に接続するために、絶縁層２１を貫通して達する層間接続９が設けられる。第１の接触側面１１を第１の伝導性層３１に接続するために、共通接触要素８が設けられ、共通接触要素８は、全てのコンデンサ２の第１の接触側面１１を接続する。好ましくは、接触要素８は弓状である。例えば、接触要素８は、接触要素８が、コンデンサ２及びバスバー５の配置を少なくとも一方の側面で、特にバスバー５の縁の領域で囲み、第１の伝導性層３１に直接接続するように構築される。
【００３２】
特に、接触要素８はメッシュ７として少なくとも部分的に構成される。好ましくは、接触要素８全体はメッシュ７として形成される、または、接触要素８は、第１の接触側面１１及び／または第２の接触側面１２に接触する領域において及び／または屈曲領域においてメッシュ７として形成されるだけである、または部分的に形成される。メッシュ７を使用することは、通常運転でのエネルギー貯蔵デバイスの使用中に温度変動によって引き起こされる機械的応力を吸収するという良い効果を有する。さらに、コンデンサ２の第１の接触側面１１が、例えばはんだ付け及び／または溶接によって接続領域１５において接触要素に接続されることが規定される。
【００３３】
さらに、コンデンサ２、接触要素８、及びバスバー５の少なくとも一部を備える配置構成がケーシング（ここでは示さず）内に配置されることが規定される。例えば、ケーシングは金属及び／またはプラスチックから作られる。ケーシングが、配置構成をケーシングの内部で固定するために、エポキシ、ポリウレタン、及び／または同様のものをさらに充填されることが同様に可能である。
【００３４】
図２において、本発明による電気貯蔵デバイス１のための接触要素８の部分として少なくとも使用されるメッシュ７は、上面図例証（上）及び側面図例証（下）に示される。特に、メッシュ７は主に平織様メッシュ７として構成される。
【００３５】
好ましくは、メッシュ７は互いに平行に配置される第１のワイヤ５１によって形成され、それぞれの第１のワイヤ５１は、第２のワイヤ５２に対して、５°〜９０°の角度、好ましくは４５°〜９０°の角度、より好ましくは主に９０°で、メッシュを通して横に走行する第２のワイヤ５２の上及び下を交互に通過する。特に、メッシュ７が、主伸長部平面ＭＥＰ（：ｍａｉｎ  ｅｘｔｅｎｓｉｏｎ  ｐｌａｉｎ）内に少なくとも部分的に延在し、第１のワイヤ５１及び第２のワイヤ５２が交差ポイント５５において互いの上に配置されることが規定される。特に、第１のワイヤ５１及び第２のワイヤ５２が、配置構成順序、すなわち、第１のワイヤ５１が、主伸長部平面ＭＥＰに垂直な方向で第２のワイヤ５２の上に配置されるか下に配置されるかが、第１のワイヤ５１及び／または第２のワイヤ５２の伸張方向に沿って交差ポイント５５ごとに変化するように配置される。さらに、第１のワイヤ５１及び第２のワイヤ５２が、例えば、溶接及び／またははんだ付けによって接着して、交差ポイント５５において互いに接続されることが好ましくは規定される。
【００３６】
特に、メッシュ７は、０．１から１ｍｍの間、好ましくは０．２から０．８ｍｍの間、より好ましくは０．２５から０．６５ｍｍの間の径Ｄｉを有する第１のワイヤ５１及び／または第２のワイヤ５２によって形成される。この背景で、第１のワイヤ５１及び／または第２のワイヤ５２が同じ径Ｄｉを有するまたは径Ｄｉが互いに異なることが考えられる。さらに、メッシュ７が、周囲の第１のワイヤ５１及び／または第２のワイヤ５２によって画定される開放エリア５４を有し、開放エリア５４と接触要素７全体の比が、０．２から０．７の間、好ましくは０．３から０．６５の間、より好ましくは０．４から０．６の間の値を有する、及び／または、開放エリア５４に割り当てられる幅Ｗが、０．５ｍｍから２．０ｍｍの間、好ましくは０．６５から１．５ｍｍの間、より好ましくは０．８から１．３５ｍｍの間の値を有することが規定される。好ましくは、幅Ｗは、２つの隣接する第１のワイヤ５１及び／または第２のワイヤ５２の間の距離に対応する。例えば、１ｃｍあたりに計数されるメッシュ７の数は、３〜１３、好ましくは４〜１２、より好ましくは６〜９である。
【００３７】
図２に示す開放エリア５４は正方形形状を有する。代替的に、開放エリア５４が、円形、三角形、楕円形、長方形、及び／またはハニカム様形状を有することが同様に考えられる。さらに、メッシュ７が、例えば、溶接及び／またははんだ付けによって接着して接続領域１５において第１の接触側面１１及び／または第２の接触側面１２に接続されることが規定される。
【００３８】
図３ａ及び図３ｂにおいて、第２の好ましい実施形態によるエネルギー貯蔵デバイス１が、上面図（図３ａ）及び側面図（図３ｂ）に示される。特に、エネルギー貯蔵デバイス１は幾つかのバスバー５を備え、好ましくは、３つのバスバー５が、２つのバスバー５の間に、コンデンサ２の第１の列４１または第２の列４２がそれぞれ配置されるように互いの上に配置される。特に、幾つかのコンデンサ２の幾つかの第１の接触側面１１が、メッシュ７として構成される接触要素８によって、互いにまたバスバー５の１つに接続されることが規定される。特に、エネルギー貯蔵デバイス１は図１のエネルギー貯蔵デバイス１と異なり、図３ａ及び図３ｂの実施形態によれば、コンデンサ２の第１の接触側面１１及び第２の接触側面１２が共に、メッシュ７の形態の接触要素８を介してバスバー５に接続されることが規定される。そのため、バスバー５は、第１の接触側面１１及び／または第２の接触側面１２を備える平面に主に垂直に延在する。バスバー５が第１の接触側面１１及び／または第２の接触側面１２を備える平面に対して傾斜して配置されることが同様に考えられる。さらに、キャパシター２の第１の接触側面１１が、例えば、はんだ付け及び／または溶接によって、接続領域１５においてメッシュ７に接続されることが規定される。特に、接続領域１５は、第１の接触側面１１の一部であり、第１の接触側面１１に沿って確率的に分配される。例えば、接続領域１５は円形状を有する。
【００３９】
図４において、本発明の第３の好ましい実施形態によるエネルギー貯蔵デバイス１が示される。特に、エネルギー貯蔵デバイス１は、互いに隣り合って第３の列４３で配置される幾つかのコンデンサ２を備える。第３の列４３で配置される全てのコンデンサ２は、メッシュ７として形成される接触要素８によって互いに接続される。特に、接触要素８がコンデンサ２の第１の接触側面１１上に配置され、さらなる接触要素８が、コンデンサ２の対向端に位置する第２の接触側面１２上に配置されることが規定される。好ましくは、接触要素８及びさらなる接触要素８は互いに対して少なくとも部分的に平行に延在する。
【００４０】
図５において、本発明の第４の好ましい実施形態によるエネルギー貯蔵デバイス１用のバスバー５が示される。特に、幾つかの異なるメッシュ７が同じバスバー５に接続されることが規定される。好ましくは、メッシュ７は、凹所１８を有するバスバー５の領域の隣でまたはその領域でバスバー５に接続される。特に、幾つかのメッシュ７、例えば、３つのメッシュ７は、特に、メッシュ７の端セクションを互いの上に配置することによって、同じ領域に接続される。
【符号の説明】
【００４１】
１  エネルギー貯蔵デバイス
２  電気コンポーネント
５  バスバー
７  メッシュ
８  接触要素
９  層間接続
１１  第１の接触側面
１２  第２の接触側面
１５  接続領域
１８  凹所
２１  絶縁層
２２  さらなる絶縁層
３１  第１の伝導性層
３２  第２の伝導性層
４１  第１の列
４２  第２の列
４３  第３の列
５１  第１のワイヤ
５２  第２のワイヤ
５４  開放エリア
５５  交差ポイント
Ｗ  幅
Ｄ  距離
Ｓ  積層方向
Ａ  Ａ−Ａライン
ＭＥＰ  主伸長部平面
Ｄｉ  直径
【図１ａ】
2020096163.tif 000003
【図１ｂ】
2020096163.tif 000004
【図２】
2020096163.tif 000005
【図３ａ】
2020096163.tif 000006
【図３ｂ】
2020096163.tif 000007
【図４】
2020096163.tif 000008
【図５】
2020096163.tif 000009
【外国語明細書】
2020096163000001.pdf